(57)【要約】      （修正有）【課題】すみやかにシート状物品を収納し、シート状物品の脱落を防止することができるファイルを提供する。【解決手段】ファイル１は、略矩形のシート１０，１１を重ね、一長辺の接合部１２及び一短辺の接合部１５を閉じて構成されており、重ねられたシート１０，１１の間に挿入されるシート状物品５を収納する。重ねられたシート１０，１１の他長辺付近に設けられ、シート状物品５を重ねられたシート１０，１１との間に挟持する可撓性の挟持片１９を備える。【選択図】図４
0003186106.tif 000002
【実用新案登録請求の範囲】
【請求項１】
略矩形のシートを重ね、一長辺及び一短辺を閉じて構成されており、
重ねられたシートの間に挿入されるシート状物品を収納するファイルにおいて、
重ねられたシートの他長辺付近に設けられ、前記シート状物品を重ねられたシートとの間に挟持する可撓性の挟持片
を備えることを特徴とするファイル。
【請求項２】
前記挟持片は半円状に形成してあることを特徴とする請求項１に記載のファイル。
【請求項３】
一短辺が、重ねられたシートの前記一短辺に連接し、重ねられたシートの間に設けられた略矩形の第一中間シートと、
一長辺が、前記第一中間シートの一長辺に連接し、前記第一中間シートと、重ねられたシートとの間に設けられた略矩形の第二中間シートと、
前記第一中間シートの他長辺付近に設けられ、前記第一中間シートと重ねられたシートとの間に挿入されるシート状物品を前記第一中間シートとの間に挟持する可撓性の第一中間挟持片と、
前記第二中間シートの他長辺付近に設けられ、前記第二中間シートと前記第一中間シート又は重ねられたシートとの間に挿入されるシート状物品を前記第二中間シートとの間に挟持する可撓性の第二中間挟持片と
を備えることを特徴とする請求項１又は請求項２に記載のファイル。
【請求項４】
前記第一中間挟持片及び前記第二中間挟持片は半円状に形成してあることを特徴とする請求項３に記載のファイル。
【請求項５】
重ねられたシートの閉じ部にマチを設けてあることを特徴とする請求項１から請求項４のいずれか一つに記載のファイル。
【考案の詳細な説明】
【技術分野】
【０００１】
本考案は、写真、書類等のシート状物品を収納するファイルに関する。
【背景技術】
【０００２】
シート状物品を収納するファイルが広く普及している。この種のファイルは、略矩形の正面シートと略矩形の背面シートとを重ね、一長辺及び一短辺を接合して構成されている。シート状物品は、正面シートと背面シートとの間に挿入し、接合辺で支えて収納することができる。
【０００３】
この種のファイルにおいては、収納したシート状物品の脱落を防止する工夫が施されている。例えば特許文献１には、正面シートと背面シートとの間に略矩形の中間シートを設け、中間シートと背面シートとの間に脱落防止用の収納空間を形成してあるファイルが記載されている。中間シートは一長辺を背面シートの他長辺に接合してあり、収納空間は背面シートの他短辺に開放部を有している。中間シートの開放辺には封止片部が延設されている。封止片部には係止片部が設けられている。背面シートには係止片部が係合するための係止孔部が設けられている。
【０００４】
ユーザは収納空間の開放部からシート状物品を挿入した後、封止片部を背面シートに向かって折り畳むことにより開放部を被覆し、係止片部と係止孔部とを係合して開放部を閉じる。このことによりシート状物品の脱落を防止することができる。
【先行技術文献】
【特許文献】
【０００５】
【特許文献１】特開２０１１−２３０４９２
【考案の概要】
【考案が解決しようとする課題】
【０００６】
特許文献１のファイルにおいてはシート状物品を限られた開放部から収納空間に収納し、封止片部により収納空間において開放部を被覆し、係止片部と係止孔部とを係合する必要がある。このため、特許文献１のファイルはシート状物品の収納に時間を要するという問題があった。
【０００７】
本考案は斯かる事情に鑑みてなされたものであり、すみやかにシート状物品を収納し、シート状物品の脱落を防止することができるファイルを提供することを目的とする。
【課題を解決するための手段】
【０００８】
本考案に係るファイルは、略矩形のシートを重ね、一長辺及び一短辺を閉じて構成されており、重ねられたシートの間に挿入されるシート状物品を収納するファイルにおいて、重ねられたシートの他長辺付近に設けられ、前記シート状物品を重ねられたシートとの間に挟持する可撓性の挟持片を備えることを特徴とする。
【０００９】
本考案にあっては、シートの非接合辺を開放し、これらの間からシート状物品を挿入した後に挟持片を撓ませて、挟持片とシートとの間にシート状物品の一部を挟持して脱落を防止する。
【００１０】
本考案に係るファイルは、前記挟持片は半円状に形成してあることを特徴とする。
【００１１】
本考案にあっては、挟持片は半円状に形成してある。
このことにより、ファイルは挟持片の角に衝突することによって発生する怪我を防止することができる。
【００１２】
本考案に係るファイルは、一短辺が、重ねられたシートの前記一短辺に連接し、重ねられたシートの間に設けられた略矩形の第一中間シートと、一長辺が、前記第一中間シートの一長辺に連接し、前記第一中間シートと、重ねられたシートとの間に設けられた略矩形の第二中間シートと、前記第一中間シートの他長辺付近に設けられ、前記第一中間シートと重ねられたシートとの間に挿入されるシート状物品を前記第一中間シートとの間に挟持する可撓性の第一中間挟持片と、前記第二中間シートの他長辺付近に設けられ、前記第二中間シートと前記第一中間シート又は重ねられたシートとの間に挿入されるシート状物品を前記第二中間シートとの間に挟持する可撓性の第二中間挟持片とを備えることを特徴とする。
【００１３】
本考案にあっては、略矩形の第一中間シートは一短辺が、重ねられたシートの一短辺に連接し、重ねられたシートの間に設けられる。略矩形の第二中間シートは一長辺が、第一中間シートの一長辺に連接し、第一中間シートと、重ねられたシートとの間に設けられる。可撓性の第一中間挟持片は第一中間シートの他長辺付近に設けられ、第一中間シートと重ねられたシートとの間に挿入されるシート状物品を第一中間シートとの間に挟持する。可撓性の第二中間挟持片は第二中間シートの他長辺付近に設けられ、第二中間シートと第一中間シート又は重ねられたシートとの間に挿入されるシート状物品を第二中間シートとの間に挟持する。
このことにより、本考案に係るファイルは第一中間シートと重ねられたシート又は第二中間シートとの間に挿入されるシート状物品の脱落を防止することができる。
【００１４】
本考案に係るファイルは、前記第一中間挟持片及び前記第二中間挟持片は半円状に形成してあることを特徴とする。
【００１５】
本考案にあっては、第一中間挟持片及び第二中間挟持片は半円状に形成してある。このことにより、ファイルは第一中間挟持片又は第二中間挟持片の角に衝突することによって発生する怪我を防止することができる。
【００１６】
本考案に係るファイルは、重ねられたシートの閉じ部にマチを設けてあることを特徴とする。
【００１７】
本考案にあっては、重ねられたシートの閉じ部にマチを設けてある。
このことにより、ファイルは重ねられたシートの間に余裕ができ、多数のシート状物品を収容することができる。
【考案の効果】
【００１８】
本考案に係るファイルは略矩形のシートを重ね、一長辺及び一短辺を閉じて構成されており、重ねられたシートの間に挿入されるシート状物品を収納し、重ねられたシートの他長辺付近に設けられ、シート状物品を重ねられたシートとの間に挟持する可撓性の挟持片を備える。このことにより、本考案に係るファイルはすみやかにシート状物品を収納し、シート状物品の脱落を防止することができる。
【図面の簡単な説明】
【００１９】
【図１】実施の形態１に係るファイルの一構成例を示す斜視図である。
【図２】実施の形態１に係るファイルの素材となるシート材の一構成例を示す説明図である。
【図３】挟持片の形成位置近傍を示す拡大図である。
【図４】ファイルの使用状態を示す斜視図である。
【図５】実施の形態２に係るファイルの一構成例を示す斜視図である。
【図６】実施の形態２に係るファイルの一構成例を示す斜視図である。
【図７】実施の形態２に係るファイルの素材となるシート材の一構成例を示す説明図である。
【図８】実施の形態２に係るファイルの使用状態を示す斜視図である。
【考案を実施するための形態】
【００２０】
実施の形態１
以下本考案を実施の形態１に係る図面に基づいて詳述する。図１は実施の形態１に係るファイルの一構成例を示す斜視図である。以下の説明では各図中の上下、左右を使用する。
【００２１】
図１に示すファイル１は、略矩形の正面シート１０と、該正面シート１０に重ねられ、左長辺の接合部１２（閉じ部）と下短辺の接合部１５（閉じ部）とで閉じられた略矩形の背面シート１１とを備える。ファイル１は、光透過性、可撓性を有する硬質樹脂製、例えば、ポリプロピレン樹脂製である。接合部１２は、左長辺の全長に亘って設けてあり、接合部１５は、右側の略半長に亘って設けてある。また接合部１２、１５は、適宜の幅を有しており、正面シート１０と背面シート１１とは、接合部１２、１５の幅範囲内で離反可能である。
【００２２】
正面シート１０は、右長辺の上部に半円状に切除された切欠部１３を備える。正面シート１０は、右長辺の下部で接合部１５の近くに、三角形状に切除された切欠部１４を備える。背面シート１１は、右長辺上部から左方向に離隔した位置に略半円の挟持片１９を備える。挟持片１９は、正面シート１０に設けた切欠部１３と重なる位置に設けてある。
【００２３】
図２は実施の形態１に係るファイルの素材となるシート材の一構成例を示す説明図である。図２に示すシート材２は、正面シート１０に対応する正面部２０と背面シート１１に対応する背面部２１とを長辺同士が隣り合うように並べて、接合部１２に対応する連設部２２により連絡し、左右方向に長い略矩形を有している。正面部２０は下短辺右半分に略矩形の延設部２５を備える。
【００２４】
以下でファイル１の形成手順について説明する。ファイル１を形成する場合、以上の如きシート材２を連設部２２を中心として折り畳み、正面部２０と背面部２１とを重ねる。延設部２５を正面部２０との境界に沿って折り曲げ、背面部２１の下縁との当接位置で折り返し、折り返し部分を背面部２１に接合する。このことによりファイル１は、連設部２２が接合部１２となり、延設部２５が接合部１５となって、図１に示す如く構成される。なお、延設部２５と背面部２１とは、熱溶着、超音波溶着等の手段により接合される。
【００２５】
シート材２は、大判の樹脂シートを裁断することにより得られる。挟持片１９は、切欠部１３、１４と共にシート材２の裁断の過程で形成される。図３は、挟持片１９の形成位置近傍を示す拡大図である。本図に示す如く挟持片１９は、背面部２１の左長辺近傍の上部を切除して形成された円弧状の長孔１７の内側部分に、右側を凸とする半円形の舌状片として形成される。長孔１７は、両端部の夫々から外向きに延びる延長部１７ａ，１７ａを備えている。このように形成された挟持片１９は、長孔１７の両端部を結ぶ線を中心として撓み変形させることができる。延長部１７ａ，１７ａは、挟持片１９の変形時に長孔１７の両端部に集中する応力を緩和すべく設けてある。
【００２６】
図４は、ファイル１の使用状態を示す斜視図である。本図に示す如く、ファイル１は、正面シート１０及び背面シート１１の非接合辺（上短辺、右長辺）間を開き、これらの間に挿入されるシート状物品５を、左長辺の接合部１２と下短辺の接合部１５とで支えて収納する。正面シート１０に設けた切欠部１３は、正面シート１０と背面シート１１とを開く際の指当て部として機能する。ユーザは、切欠部１３を利用することにより、正面シート１０と重なった背面シート１１を掴むことができ、この状態で背面シート１１を撓ませることにより、正面シート１０と背面シート１１とを容易に開くことができる。また正面シート１０に設けた切欠部１４は、図４に示す如く正面シート１０を大きく開いた際に、接合部１５の近傍に集中する応力を緩和してファイル１の経時的な損傷を防止する作用をなす。シート状物品５は、２辺（上短辺、右長辺）を大きく開いた正面シート１０と背面シート１１との間に容易に挿入することができ、シート状物品５の収納は、煩雑な手間を必要とせずに、速やかに実現できる。
【００２７】
ファイル１は、更に挟持片１９を有している。挟持片１９は、前述した手順でシート状物品５を収納した後、正面シート１０に向けて撓み変形させて背面シート１１との間にシート状物品５を受け入れる。挟持片１９は、その後に変形を解除することにより、自身と背面シート１１との間にシート状物品５を、図４に示す如く挟持する。挟持片１９は、正面シート１０に設けた切欠部１３と重なる位置に設けてあるから、正面シート１０と背面シート１１とが重なった状態においても支障なく撓ませることができる。
【００２８】
以上の如くファイル１に収納されたシート状物品５は、接合部１２、１５により２辺を当て、残りの一長辺を挟持片１９と背面シート１１との間に挟持されるから、収納位置で位置ずれせずに支えられ、脱落を確実に防止することができる。
【００２９】
本実施の形態によれば、接合部１２及び接合部１５は、幅を設けてマチを形成してある。このことにより、ファイル１は正面シート１０と背面シート１１との間に余裕ができ、多数のシート状物品５を収容することができる。なお、正面シート１０は一面を覆うように広がった模様を備えてもよい。模様は例えば、縦、横、斜めの縞模様、水玉模様又は市松模様等である。ファイル１は模様を備えることにより、見栄えがよくなり、商品価値が上がる。
【００３０】
なお、本実施の形態ではファイル１は１枚のシートを折り畳むことによって形成されたが、２枚のシートを接合することによって形成してもよい。
【００３１】
実施の形態２
図５から図８は実施の形態２に係るファイルの一構成例を示す図である。
【００３２】
図５、図６に示すファイル３は、略矩形の正面シート３０と、該正面シート３０に重ねられ、左長辺の接合部３４（閉じ部）と下短辺の接合部３０４（閉じ部）とで接合された略矩形の背面シート３３とを備える。ファイル３は、正面シート３０と背面シート３３との間に、背面シート３３の下短辺に接合された略矩形の第一中間シート３１及び、第一中間シート３１と左長辺同士を接合された略矩形の第二中間シート３２が順に設けられている。
【００３３】
接合部３４は、左長辺の全長に亘って設けてあり、接合部３０４は、右側の略半長に亘って設けてある。また接合部３４、３０４は、適宜の幅を有しており、正面シート３０及び背面シート３３は、接合部３４、３０４の幅範囲内で離反可能である。
【００３４】
正面シート３０は、右長辺上部に半円状に切除された切欠部３０１を備える。正面シート３０は右長辺の下部で接合部３０４の近くに三角形状に切除された切欠部３０３を備える。
【００３５】
図６は正面シート３０、第一中間シート３１、第二中間シート３２を開いた状態を示している。本図に示すように、第二中間シート３２は右長辺上部から左方向に離隔した位置に半円状の挟持片３２５（第二中間挟持片）を備える。第一中間シート３１は右長辺上部に半円状に切除された切欠部３１１を備え、右長辺中央部から左方向に離隔した位置に半円状の挟持片３１５（第一中間挟持片）を備え、右長辺の下部に三角形状に切除された切欠部３１３を備える。
【００３６】
背面シート３３は、右長辺上部に半円状に切除された切欠部３３１を備え、右長辺中央部に半円状に切除された切欠部３３２を備え、右長辺下部から左方向に離隔した位置に略半円状の挟持片３３５を備える。
【００３７】
挟持片３２５は、切欠部３０１、３１１、３３１と重なる位置に設けてある。挟持片３１５は、切欠部３３２と重なる位置に設けてある。
【００３８】
図７は実施の形態２に係るファイル３の素材となるシート材の一構成例を示す説明図である。図７に示すシート材４の構成を以下で説明する。シート材４は、正面シート３０に対応する正面部４０と背面シート３３に対応する背面部４３とを長辺同士が隣り合うように並べて、接合部３４に対応する連設部４４により連絡し、背面部４３の下短辺と第一中間シート３１に対応する第１中間部４１とが連接し、第１中間部４１の右短辺と第二中間シート３２に対応する第２中間部４２とが連接して構成されている。正面部４０は、下短辺右半分に略矩形の延設部４０４を備える。
【００３９】
以下でファイル３の形成手順について説明する。ファイル３は、以上の如きシート材４を第２中間部４２の左短辺、第１中間部４１の上短辺及び連設部４４を中心として折り畳む。ファイル１は、正面部４０、第１中間部４１、第２中間部４２及び背面部４３を重ねた後、延設部４０４を正面部４０との境界に沿って折り曲げ、背面部４３の下縁との当接位置で折り返し、折り返し部分を背面部４３に接合する。このことによりファイル３は、連設部４４が接合部３４となり、延設部４０４が接合部３０４となって、図５、図６に示す如く構成される。なお、延設部４０４と背面部４３とは、熱溶着、超音波溶着等の手段により接合される。
【００４０】
シート材４は、大判の樹脂シートを裁断することにより得られる。挟持片３１５、３２５、３３５は、切欠部３０１、３０３、３１１、３１３、３３１、３３２と共にシート材４の裁断の過程で形成される。挟持片３１５、３２５、３３５は夫々、第２中間部４１の右長辺近傍の下部、第１中間部４１の左長辺近傍の中央部、背面部４３の左長辺近傍の下部を切除して形成された円弧状の長孔３１４、３２４、３３４の内側部分に、夫々右側、左側、右側を凸とする半円形の舌状片として形成される。長孔３１４、３２４、３３４は、両端部の夫々から外向きに延びる延長部３１ａ，３１ａ、３２ａ、３２ａ、３３ａ、３３ａを備えている。このように形成された挟持片３１５、３２５、３３５は、長孔３１４、３２４、３３４の両端部を結ぶ線を中心として撓み変形させることができる。延長部３１ａ、３１ａ、３２ａ、３２ａ、３３ａ、３３ａは、挟持片３１５、３２５、３３５の変形時に長孔３１４、３２４、３３４の両端部に集中する応力を緩和すべく設けてある。
【００４１】
図８は、実施の形態２に係るファイル３の使用状態を示す斜視図である。図８に示す如く、ファイル３は、正面シート３０及び第二中間シート３２の上短辺、右長辺間を開き、これらの間に挿入されるシート状物品５を、左長辺の接合部３４と下短辺の接合部３０４とで支えて収納する。切欠部３０１、３１１、３３１は、正面シート３０と第二中間シート３２とを開く際の指当て部として機能する。ユーザは、切欠部３０１を利用することにより、正面シート３０と重なった第二中間シート３２を掴むことができ、この状態で第二中間シート３２を撓ませることにより、正面シート３０と第二中間シート３２とを容易に開くことができる。また正面シート３０に設けた切欠部３０４は、正面シート３０を大きく開いた際に、接合部３０４の近傍に集中する応力を緩和してファイル３の経時的な損傷を防止する作用をなす。
【００４２】
ファイル３は、第一中間シート３１及び第二中間シート３２の上短辺、右長辺間を開き、これらの間に挿入されるシート状物品５を、左長辺の接合部３４と下短辺の接合部３０４とで支えて収納する。切欠部３３２は、第一中間シート３１と第二中間シート３２とを開く際の指当て部として機能する。ユーザは、切欠部３３２を利用することにより、第二中間シート３２と重なった第一中間シート３１を掴むことができ、この状態で第一中間シート３１を撓ませることにより、第二中間シート３２と第一中間シート３１とを容易に開くことができる。
【００４３】
ファイル３は、第一中間シート３１及び背面シート３３の上短辺、右長辺間を開き、これらの間に挿入されるシート状物品５を、左長辺の接合部３４と下短辺の接合部３０４とで支えて収納する。また第一中間シート３１に設けた切欠部３１３は、第二中間シート３２を大きく開いた際に、接合部３０４の近傍に集中する応力を緩和してファイル３の経時的な損傷を防止する作用をなす。
【００４４】
シート状物品５は、２辺（上短辺、右長辺）を大きく開いた正面シート３０、第一中間シート３１、第二中間シート３２及び背面シート３３の間に容易に挿入することができ、シート状物品５の収納は、煩雑な手間を必要とせずに、速やかに実現できる。
【００４５】
ファイル１は、更に挟持片３１５、３２５、３３５を有している。挟持片３１５、３２５、３３５は、前述した手順でシート状物品５を収納した後、夫々正面シート３０、第一中間シート３１、第二中間シート３２、背面シート３３に向けて撓み変形させて、自身と第一中間シート３１、第二中間シート３２、背面シート３３との間にシート状物品５を受け入れる。挟持片３１５は、その後に変形を解除することにより、背面シート３３との間にシート状物品５を、図８に示す如く挟持すべく使用される。挟持片３２５は、切欠部３０１、３１１、３３１と重なる位置に設けてあり、挟持片３１５は、切欠部３３２と重なる位置に設けてあるから、正面シート３０、第二中間シート３２、第一中間シート３１及び背面シート３３が重なった状態においても支障なく撓ませることができる。
【００４６】
以上の如くファイル３に収納されたシート状物品５は、接合部３４、３０４により２辺を当て、残りの一長辺を挟持片３２５と第二中間シート３２との間、挟持片３１５と第一中間シート３１との間、挟持片３３５と背面シート３３との間に挟持されるから、収納位置で位置ずれせずに支えられ、脱落を確実に防止することができる。
【００４７】
なお、正面シート３０は、一面を覆うように広がった模様を備えてもよい。模様は例えば、縦、横、斜めの縞模様、水玉模様又は市松模様等である。ファイル３は模様を備えることにより、見栄えがよくなり、商品価値が上がる。
【００４８】
なお、本実施の形態ではファイル３は１枚のシートを折り畳むことによって形成されたが、２枚のシートを接合することによって形成してもよい。
【００４９】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００５０】
１０  正面シート
１１  背面シート
１２  接合部（閉じ部）
１５  接合部（閉じ部）
１９  挟持片
３０  正面シート
３１  第一中間シート
３２  第二中間シート
３３  背面シート
３４  接合部（閉じ部）
３０４  接合部（閉じ部）
３１５  挟持片（第一中間挟持片）
３２５  挟持片（第二中間挟持片）
３３５  挟持片
【図１】
0003186106.tif 000003
【図２】
0003186106.tif 000004
【図３】
0003186106.tif 000005
【図４】
0003186106.tif 000006
【図５】
0003186106.tif 000007
【図６】
0003186106.tif 000008
【図７】
0003186106.tif 000009
【図８】
0003186106.tif 000010